(57)【要約】      （修正有）【課題】パチンコ台の固定、取り外しおよび角度調整をねじ類の操作なく自動的に行う。【解決手段】島３側にパチンコ台１を取付けるための下部ユニット４と上部ユニット５とを備え、下部ユニット４が島３側に取付けられるブラケット部体６，１１と、これに装備されたパチンコ台１の木枠１Ｂに対する固定用のクランプ部体７，１３と、前記クランプ部体７，１３を作動するアクチュエータ９，１５，１８を含む駆動機構１４を備え、上部ユニット５が島３側に取付けられたブラケット部体６，１１と、該ブラケット部体６，１１に前後移動可能に保持されたスライド部体１２と、パチンコ台１の木枠１Ｂに対する固定用部７３とを有し、前記スライド部体１２に搭載されたクランプ部体７，１３と、前記クランプ部体７，１３を作動するためのアクチュエータ９，１５，１８を含む駆動機構１４とを備えている。【選択図】図２
2011024604.tif 000002
【特許請求の範囲】
【請求項１】
島側にパチンコ台を取付けるための上部ユニットと下部ユニットとを備え、下部ユニットが島側に取付けられるブラケット部体と、パチンコ台の木枠への固定用のクランプ部体と、該クランプ部体を作動するアクチュエータを含む駆動機構を備え、上部ユニットが島側に取付けられるブラケット部体と、該ブラケット部体に対して前後移動可能なスライド部体と、パチンコ台の木枠への固定部を有し、前記スライド部体に搭載されたクランプ部体と該クランプ部体を作動する第１のアクチュエータを含む駆動機構と、前記クランプ部体に搭載され前記スライド部体を作動するための第２のアクチュエータを含む駆動機構を備えていることを特徴とするパチンコ台の取付け装置。
【請求項２】
下部ユニットのアクチュエータがモータであり、駆動機構がモータにより移動する移動シャフトと、これと直交するように配置された開閉用シャフトとを備えているパチンコ台の取付け装置。
【請求項３】
上部ユニットの第１のアクチュエータがモータであり、駆動機構がモータにより移動する移動シャフトと、これと直交するように配置された開閉用シャフトとを備えているパチンコ台の取付け装置。
【請求項４】
上部ユニットの第２のアクチュエータがモータであり、駆動機構がブラケット部体に枢支された前後送り部体を、モータにより移動する移動シャフトと、これと直交するように配置され、前記前後送り部体とスライド部体とを連結する軸とを備えているパチンコ台の取付け装置。
【発明の詳細な説明】
【技術分野】
【０００１】
本発明はパチンコ台の取付け装置に関し、特にパチンコ台を島側に自動的に取付けるための取付け装置に関する。
【背景技術】
【０００２】
遊技場においては、店内に「島」と称す部分に木枠を複数設置しておき、この複数の木枠にパチンコ台をそれぞれ取付けるようになっている。前記パチンコ台の島側への取付け方法として、従来では、パチンコ台メーカーから出荷されたパチンコ台本体と木枠が組合わされたものを、一旦本体と木枠に分離し、木枠のみを島側にネジ又は釘により上下を固定し、その際におおむね垂直になる様に傾斜角度を調節し、その後、木枠に本体を取付けるようになっている。
【０００３】
このため、取付け作業時間のロスと傾斜角度の精度のずれという問題を有していた。以下それらについて説明すると、
１）取付け作業時間のロス
パチンコ台を本体と木枠とに分離することが必要であるうえ、木枠を島側に取付ける際に、まず木枠の下側を木ネジ・釘等で固定し、木枠側面に傾斜器をあてがっておおむね垂直になる様に見定めながら木枠の傾斜角度を微調整し、上側を木ネジ又は釘で固定する作業となる。その際に、傾斜器をあてがいながらの固定となるため、作業がやりづらく、垂直から微妙にずれてしまう場合があり、その時は一旦固定した木ネジ又は釘をはずしてやり直す必要がある。したがって、一台当たりの設置に時間と手間とを要し、多数台の入れ替えにおいては多大な時間と多大なコストとを要していた。
【０００４】
２）傾斜角度の精度のずれ
パチンコ台の入れ替えにおいては、同一機種を複数台取付けする場合がほとんどであり、前記のように手作業でしかも傾斜器をあてがいながら電動ドリル等による木ネジでの固定、又はハンマー等による釘での固定となるため、一台一台に傾斜角度に多少の誤差が生じやすい。なおかつ、重量の軽い木枠に対して重量の重い本体を接合する為、取付け後の誤差は非常に生じやすい。このため、出玉管理上、支障をきたす恐れがあった。
【０００５】
この対策として、本体と木枠とを分解することなく島側へ取付けを可能にする提案がなされている。この場合、ねじを緩めたり締め付けたりする煩雑な操作を必要とし、また、傾斜角度の調整作業もねじの緩めと締付けを要するので、手間と時間がかかるという問題を有していた。
【先行技術文献】
【特許文献】
【０００６】
【特許文献１】特許第２９１９３４９号公報
【発明の概要】
【発明が解決しようとする課題】
【０００７】
この発明は前記のような問題点を解消するためになされたもので、パチンコ台の固定、取り外しおよび角度調整を、ねじ類の締め・緩め操作を要さず自動的に行なうことができる比較的コンパクトなパチンコ台の取付け装置を提供することを目的とする。
【課題を解決するための手段】
【０００８】
上記目的を達成するためこの発明は、島側にパチンコ台を取付けるための上部ユニットと下部ユニットとを備え、下部ユニットが島側に取付けられるブラケット部体と、パチンコ台の木枠への固定用のクランプ部体と、該クランプ部体を作動するアクチュエータを含む駆動機構を備え、上部ユニットが島側に取付けられるブラケット部体と、このブラケット部体に対して前後移動可能なスライド部体と、パチンコ台の木枠への固定部を有し、前記スライド部体に搭載されたクランプ部体とこのクランプ部体を作動する第１のアクチュエータを含む駆動機構と、前記クランプ部体に搭載され前記スライド部体を作動するための第２のアクチュエータを含む駆動機構を備えている構成を有している。そして、下部ユニットのアクチュエータがモータであり、駆動機構がモータにより移動する移動シャフトと、これと直交するように配置された開閉用シャフトとを備えている。
また、上部ユニットの第１のアクチュエータがモータであり、駆動機構がモータにより移動する移動シャフトと、これと直交するように配置された開閉用シャフトとを備え、さらに上部ユニットの第２のアクチュエータがモータであり、駆動機構が、ブラケット部体に枢支された前後送り部体を、モータにより移動する移動シャフトと、これと直交するように配置され、前記前後送り部体とスライド部体とを連結する軸とを備えている。
【発明の効果】
【０００９】
下部ユニットと上部ユニットをあらかじめ島側に設置しておき、下部ユニットのアクチュエータを駆動させることでクランプ部体が作動して下側木枠に固定される。また、上部ユニットの第１のアクチュエータを駆動させることでクランプ部体が作動して上側木枠に固定される。したがって、本体と木枠の分離の必要がなく、一体化された状態で島側に簡易、迅速にはめ込み固定することができる。
【００１０】
そして、第２のアクチュエータを駆動することにより、木枠を固定したままスライド部体が前進または後退するので、パチンコ台を遊技できる状態にしたまま、簡単、迅速に垂直状に調整できる。したがって、複数台のパチンコ台の取付けにおいても、労力を要さず短時間で傾斜角度が全て均一に揃った状態に固定することが可能となる。
【００１１】
また、モータを正転することにより移動シャフトが並進すると、開閉シャフトがガイド溝に沿って前方に移動するため、前記クランプ部体が作動し、固定用部分で木枠が固定される。木枠を取り外すときには、モータを逆転させれば開閉用シャフトがガイド溝に沿って後方に移動するため、クランプ部体が逆転し固定用部分が木枠から離間する。したがって、簡単な構造で、しかもねじ類の手動による回動操作を何ら要さずに固定と取り外しとを行う事が出来る。
【図面の簡単な説明】
【００１２】
【図１】本発明によるパチンコ台取付け装置の使用状態を示す全体斜視図である。
【図２】図１の詳細図である。
【図３】(a)は下部ユニットの固定解除状態を示す側面図、(b)は固定状態を示す側面図である。
【図４】下部ユニットの分解斜視図である。
【図５】(a)は上部ユニットの固定解除状態を示す側面図、(b)は固定状態を示す側面図である。
【図６】(a)は上部ユニットによる前移動状態を示す側面図、(b)は上部ユニットによる後移動状態を示す側面図である。
【図７】上部ユニットの分解斜視図である。
【図８】本発明の制御系の斜視図である。
【図９】制御系のブロック図である。
【発明を実施するための形態】
【００１３】
上部ユニットの近傍の島側に、前記各アクチュエータと電気的に接続して駆動を制御するためのコントローラを有している。
このため、下部ユニットと上部ユニットによるパチンコ台の固定、取り外しおよび角度調整をパチンコ台列の前面側からの遠隔操作で行なえるので、きわめて簡易迅速に作業を行なうことができる。
【００１４】
下部ユニットのアクチュエータがモータからなり、駆動機構が、モータの回転により並進する移動シャフトと、これに直交し両端部がブラケット部体の両側部に設けたガイド溝を貫通して前記クランプ部体の両側部に設けられた傾斜状ガイド溝に嵌る開閉用シャフトを備えている。
これによれば、モータを正転することにより移動シャフトが並進すると、開閉用シャフトがガイド溝に沿って前方に移動するため、前記クランプ部体が作動し、固定用部分で木枠がしっかりと固定される。
木枠を取り外すときには、モータを逆転させれば開閉用シャフトがガイド穴に沿って後方に移動するため、クランプ部体が逆動し固定用部分が木枠から離間する。したがって、簡単な構造でしかもねじ類の手動による回動操作を何ら要さずに固定と取り外しを行なえる。
【００１５】
上部ユニットのスライド部体は水平上のガイド溝を設けた左右側壁部を有し、クランプ部体はパチンコ台の木枠に対する固定用部分を前半上部に有し、両側部に傾斜状ガイド溝を有し、前記スライド部体にまたがるように配置され後端部をもって傾動可能に枢支されており、上部ユニットの第一のアクチュエータがモータからなり、駆動機構が、モータの回転により並進する移動シャフトと、これに直交して固定され両端部がスライド部体の両側部に設けたガイド溝を貫通してクランプ部体の両側部に設けられた傾斜状ガイド溝に嵌まり、前記移動シャフトによって移動される開閉用シャフトを備えている。
【００１６】
これによれば、第１のモータを駆動したときにはスライド部体は前後に動かず、下部ユニットと同じように、開閉用シャフトがガイド溝に沿って前方に移動するため、クランプ部体が作動し、固定用部分が木枠をくわえ込むのでしっかりと固定される。木枠を取り外すときにはモータを逆転させれば開閉用シャフトがガイド溝に沿って後方に移動するため、クランプ部体が基端を支点として逆動し固定用部分が木枠から離間する。したがって、簡単な構造で何ら要さずに固定と取り外しを行なえる。
【００１７】
上部ユニットの第２のアクチュエータがモータからなり、駆動機構が、ブラケット部体に上端を枢支され下端部にガイド溝を有したアーム状の前後送り部体と、ブラケット部体内で後方に延在しつつ前記モータの回転により並進する移動シャフトと、この移動シャフトと直交状に取付けられた前後動シャフトと、前記前後送り部体のガイド溝から前記ブラケット部体の両側部に設けられた水平状のガイド溝を通してスライド部体の側壁部の孔内に延び、前記前後用シャフトの両端に螺合されている前記前後送り部体とスライド部体を一体に動くように連結するガイド軸を備えている。
【００１８】
上部ユニットの第２のアクチュエータが、出力軸が上方に延びるようにブラケット部体内に内装保持されたモータからなり、前後用駆動機構が、ブラケット部体の外側に配置されブラケット部体に上端に枢支され、下端がスライド部体に連結されたアーム状の前後送り部体と、ブラケット部体内で上方に延在しつつモータの回転により並進する移動シャフトと、この移動シャフトに直交状に固定され、両端部がブラケット部体の両側部に設けた縦長のガイド溝を通して前記前後送り部体の傾斜状ガイド溝にいたる前後用シャフトを備え、移動シャフトと前後用シャフトの上下方向移動により前後送り部体が傾動し、スライド部体が前後に動かされるように構成されている。
【００１９】
したがって、移動シャフトの並進運動により前後送り部体が上部の基端を支点として傾動する。これにより、スライド部体がクランプ部体を搭載したまま前方に押し出される。これにより、木枠はクランプ部体により固定状態を保たれながら前方に移動するので、パチンコ台の全体が傾斜する。モータを逆転させれば、前述の逆の動作をし、木枠はクランプ部体で固定された状態に保たれながら後方に傾斜する。したがって、回動操作等を何ら要さずに木枠と本体を所望の角度に調整することができる。
【００２０】
以下添付図を参照して本発明の実施の形態を説明する。
図１乃至図９は本発明によるパチンコ台の取付け装置を示している。
図１と図２は全体を示しており、１はパチンコ台で、本体１Ａとこれを囲み一部がヒンジ機構で本体１Ａと結ばれた矩形状の木枠１Ｂである。３は島と称する裏側の枠状構造物で、通常、パチンコ台１を１５〜３０台程度取付けるようになっている。
４、４はパチンコ台取付け用の下部ユニットであり、島３の下横材３０の左右に複数個配置されている。５、５はパチンコ台取付け用の上部ユニットであり、島３の上横材３１の左右に複数個配置されている。２は島３の上部に設けた開閉自在な開口部位に配置されたコントローラ、２Ａはこのコントローラ２に信号を送るリモコンである。
【００２１】
前記下部ユニット４、４は、図３と図４とに示されているように、島３の下横材３０に据付け固定されるブラケット部体６と、クランプ部体７と、前記クランプ部体７を起伏駆動するためのアクチュエータ９を含む駆動機構８とを備えている。
【００２２】
前記ブラケット部体６は板金加工品からなり、図４のように、下横材３０に据えられてねじで固定されるべき左右の座部６０、６０と、これらから立ち上がる側壁部６１、６１と、それらをつなぐ天壁部６２を有し、座部６０、６０の先端部には図３のように木枠下横部１０の前端が当接可能なストッパー６３が取付けられる。
前記側壁部６１、６１の先端よりの領域には、水平状に延びる長穴からなるガイド溝６１０、６１０が設けられている。ガイド溝６１０、６１０は木枠下横部１０の上面レベルとほぼ一致する高さに設けられている。
【００２３】
クランプ部体７は板金加工品からなり、この例ではブラケット部体６に基端部をもって傾動可能に枢支され、倒伏した状態で木枠１Ｂの下横部１０を掴持するアームからなっている。クランプ部体７は前記ブラケット部体６に跨るように配置され、側壁部６１、６１に外嵌可能な側壁部に脚部７１、７１を延設しており、側壁部にはこれらを結ぶ天壁部７２を有している。側壁部の前半下部には、木枠下横部１０に対する固定用部としての歯部７３が形成されている。
【００２４】
前記脚部７１、７１は後端部に支点用穴７１１、７１１が設けられており、これらに枢軸７４が通されブラケット部体６の側壁部後部域にねじ込まれることにより、クランプ部体７は傾動可能となっている。
そして、脚部７１，７１には前記側壁部６１、６１のガイド溝６１０、６１０に対応する位置に、傾斜状のガイド溝７１０、７１０が形成されている。このガイド溝は図示するものでは前端のレベルが木枠下横部１０の上面レベルとほぼ一致するように高く、それ以降が下がっている。
【００２５】
前記アクチュエータ９は流体圧シリンダなどでもよいが、通常は正逆回転可能なモータが用いられる。該アクチュエータはケーシング９Ａに格納され前記ブラケット部体６の側壁部６１、６１間にはめ込まれる。なお、駆動機構８としては、前記モータの駆動力で枢軸を回動させて前記クランプ部体７を傾動させる形式でもよい。
大型化を回避するとともに、前記クランプ部体７の木枠への噛み込み固定を確実に行なうために、前記モータの回転運動を並進運動に変換して前記クランプ部体７を傾動させるようにしている。
【００２６】
駆動機構８は、前記脚部７１、７１と側壁部６１、６１のガイド溝７１０、７１０、６１０、６１０を貫通する開閉用シャフト８０と、これと直交状に連結され、ブラケット部体６内で後方に延在しつつ前記モータの駆動で並進する移動シャフト８１を備えている。
【００２７】
この並進運動を得るため、前記モータの出力軸に取付けられた駆動ギヤ８２と噛み合う減速ギヤ８３を有し、該減速ギヤ８３がケーシング９Ａのボスに回転可能に保持される。前記減速ギヤ８３の中心に前記移動シャフト８１が挿通される。移動シャフト８１は後半部に雄ねじ８１０を有し、これが、減速ギヤ８３の中心部に一体に設けられるか、またはナットとして別体に作られて組み付けられた雌ねじ８４と螺合される。
したがって、減速ギヤ８３が回転すると、雌ねじ８４が一体回転するため、開閉用シャフト８０との関係で回転が阻止されている移動シャフト８１は軸方向に移動するのである。
【００２８】
次に上部ユニット５、５について説明すると、該上部ユニットは、下部ユニットと同様にクランプ部体を有していることに加えて、木枠を掴持したままクランプ部体を前後方向に移動させる機構を有している。
上部ユニット５は図５乃至図７に示されており、島３の上横材３１に固定されるブラケット部体１１と、これに保持されつつ前後移動可能なスライド部体１２と、該スライド部体１２に搭載されたクランプ部体１３と、これを作動させるためにスライド部体１２に搭載された第１のアクチュエータ１５を含む駆動機構１４と、前記スライド部体１２を作動するため前記フレーム１１に搭載された第２のアクチュエータ１８を含む駆動機構１７とを有している。
【００２９】
前記ブラケット部体１１は板金加工品からなり、上横材３１に当接してねじで固定されるべき左右の座部１１０、１１０と、それらから屈曲して上方に立ち上がる前方が開放されたコ字状の囲壁部１１１を有し、囲壁部の左右下端には横長のガイド用壁部が対設されている。
前記ガイド用壁部にはそれぞれ水平状の長穴からなるガイド溝１１２０、１１２１が前後に分離して設けられている。
【００３０】
前記スライド部体１２は板金加工品からなり、前記ブラケット部体１１のコ字状囲壁部１１１の下半部に内装されるべき左右側壁部と、これらの前半部下端をつなぐ底壁部を有している。
前記左右側壁部には前記ガイド用壁部のガイド溝１１２０、１１２１に対応する位置に取付け軸としてのねじを取付ける雌ねじ孔が設けられている。
そして前記雌ねじ孔より下位の左右側壁部前半部分には、クランプ部体を動かすために水平状のガイド溝１２０１が対設されている。このガイド溝１２０１は木枠上横部１０’の下面とほぼ一致するレベルに設定するのが好ましい。
【００３１】
前記クランプ部体１３はこの例ではスライド部体１２に基端部を枢支され、倒伏した状態で木枠１Ｂの上横部１０’を掴持するアームからなっている。クランプ部体１３は板金加工品からなっていて、前記スライド部体１２に跨るように配置され、左右側壁部の下半部に外嵌可能な側壁部に脚部１３１、１３１を有しており、側壁部にはこれらを結ぶ底壁部１３２を有している。側壁部の前半上部には、木枠上横部１０’に対する固定用部としての歯部１３３が形成されている。
【００３２】
前記脚部１３１、１３１は後端部に支点用穴１３１１、１３１１が設けられており、これらに枢軸１３４が通されスライド部体１２の側壁部後部域にねじ込まれることにより傾動可能となっている。
そして、脚部１３１、１３１には前記可動フレーム側壁部１２０、１２０のガイド溝１２０１、１２０１に対応する位置に、傾斜状のガイド溝１３１０、１３１０が形成されている。このガイド溝は後端のレベルが高く、それ以降が下がっている。
【００３３】
前記アクチュエータ１５は流体圧シリンダなどでもよいが、通常は正逆回転可能なモータが用いられる。そして、アクチュエータはケーシング１５Ａに格納され前記スライド部体１２の側壁部間に嵌め込み固定され、下半部が図５のように下方に突出している。
駆動機構１４としては、モータの駆動力で枢軸を回動させて前記クランプ部体１３を動かす形式でもよいが、この実施の形態では、大型化を回避することと、前記クランプ部体１３の木枠の固定を確実に行なうため、前記モータの回転運動を並進運動に変換して前記クランプ部体１３を傾動させるようにしている。
【００３４】
前記駆動機構１４は、前記脚部とスライド部体側壁部の両ガイド溝１３１０、１３１０、１２０１、１２０１を貫通する開閉用シャフト１４０と、これと直交状に連結され、スライド部体１２内で後方に延在しつつ前記モータの駆動で並進する移動シャフト１４１を備えている。
【００３５】
そしてこの並進運動を得るため、前記モータの出力軸に取付けられた駆動ギヤ１４２と噛み合う減速ギヤ１４３を有し、減速ギヤ１４３がケーシング１５Ａのボスに回転可能に保持される。前記減速ギヤ１４３の中心に前記移動シャフト１４１が挿通されるが、移動シャフト１４１は後半部に雄ねじ１４１０を有し、これが、減速ギヤ１４３の中心部に一体に設けられるかまたはナットとして別体に作られて組み付けられた雌ねじ１４４と螺合される。
したがって、減速ギヤ１４４が回転すると、雌ねじが一体回転するため、開閉用シャフト１４０との関係で回転が阻止されている移動シャフト１４１は軸方向に移動するのである。
【００３６】
さらに駆動機構１４は前後送り部体１６を有している。前後送り部体１６は前記ブラケット部体１１の左右壁部近傍に臨む間隔のレバー１６０、１６０とこれらをつなぐ連結部１６１を有して全体がアーム状をなし、レバー１６０、１６０の上端がブラケット部体１１の左右壁部に枢軸１６３、１６３をもって枢支される。
前記レバー１６０、１６０の下端部には縦長穴状のガイド溝１６０１、１６０１が設けられており、これに前後移動用シャフトの一部をなすべきねじ状のガイド軸１６５がそれぞれ通されている。ガイド軸はこの例では、ブラケット部体１１のガイド溝１１２０を通してスライド部体１２の側壁部の孔内に至っている。
【００３７】
前後送り部体１６を駆動するためのアクチュエータ１８は、流体圧シリンダなどでもよいが、通常は可逆回転可能なモータが用いられる。該アクチュエータはケーシング１８Ａに格納され前記ブラケット部体１１の囲壁部１１１の上半部にはめ込み固定される。
駆動形式としては、モータの駆動力で枢軸１６３を回動させて前後送り部体１６を傾動させる形式でもよいが、この実施の形態では、大型化を回避してコンパクト化を図るため、前記モータの回転運動を並進運動に変換して前記前後送り部体１６を傾動させるようにしている。
【００３８】
駆動機構１７は、前記前後送り部体１６に加え、ブラケット部体１１内で後方に延在しつつモータの駆動で並進する移動シャフト１７１と、該シャフトに直交状に取付けられた前後用シャフト１７０を備えており、前記前後用シャフト１７０の両端に前記ガイド軸１６５、１６５が螺合される。これらにより、前後送り部体１６と移動シャフト１７１とスライド部体１２とが一体に動くように連結される。
【００３９】
前記移動シャフト１７１の並進運動を得るため、モータの出力軸に取付けられた駆動ギヤ１７２と噛み合う減速ギヤ１７３を有し、減速ギヤ１７３がケーシング１８Ａのボスに回転可能に保持される。前記減速ギヤ１７３の中心に前記移動シャフト１７１が挿通されるが、移動シャフト１７１は後半部に雄ねじ１７１０を有し、これが、減速ギヤ１７３の中心部に一体に設けられるかまたはナットとして別体に作られて組み付けられた雌ねじ１７４と螺合される。
【００４０】
したがって、減速ギヤ１７３が回転すると、雌ねじ１７４が一体回転するため、前後用シャフト１７０との関係で回転が阻止されている移動シャフト１７１は軸方向に移動するのである。前記前後送り部体１６の連結部１６１には移動シャフト１７１の雄ねじ１７１０の貫通を許す通孔が設けられ、雄ねじ１７１０の端にはＥリングなどからなるストッパーが取付けられる。
なお、スライド部体１２が水平度を保って前後移動し得るようにするため、ねじ形態のガイド軸１６６、１６６がブラケット部体１１の前側のガイド溝１１２１、１１２１に通され、スライド部体１２の両側に固定されている。
【００４１】
前記アクチュエータ９、１５、１８の駆動と駆動時間は操作盤によって直接的に行なってもよいが、より簡易迅速にパチンコ台の取付け・取り外しを行なうため、リモートコントロール形式を採用することが好ましい。
【００４２】
実施の形態では、図８と図９のように、前記各アクチュエータ９、１５，１８の駆動部をケーブル１９によりコントローラ２に接続し、コントローラ２は各取付け装置に配されていて、電源ラインでつながっている。コントローラ２にはアクチュエータ９、１５、１８の正方向・逆方向の駆動と停止とを含む制御回路が組み込まれているとともに、光電式などの信号受信部６０が設けられている。遠隔操作器２Ａには、上部、下部の各ユニットの木枠固定、木枠取り外し、上部ユニットの前移動、後移動などの選択ボタンが設けられており、信号受信部２０が遠隔操作器２Ａから信号を受信したときに制御回路がオンとなり、各アクチュエータ９、１５、１８が所定のプログラムで作動するようになっている。
【００４３】
つぎに本発明による装置の使用法と作用とを説明すると、パチンコ台１の取付けに当たっては、本体１Ａと木枠１Ｂを組付けたまま、島３の所定位置に配する。このときには下部ユニット４，４と上部ユニット５、５の各クランプ部体７、１３は図３（ａ）、図５（ａ）のような状態にある。
木枠１Ｂを島３の矩形状の枠に押し込めば、木枠１Ｂの下横材１０が下部ユニット４、４のストッパー６３、６３に当接して位置決めされる。
【００４４】
この状態で遠隔操作器２Ａのボタンを押して木枠固定の信号をコントローラ２に送れば、制御回路を介して下部ユニット４、４のアクチュエータ９、９に正転駆動信号が送られる。アクチュエータが駆動し駆動ギヤ８２を介して減速ギヤ３と雌ねじ８４が回転すると、これに螺通している移動シャフト８１が並進する。
【００４５】
それにより、直交状にある開閉用シャフト８０がブラケット部体６のガイド溝６１０とクランプ部体７のガイド溝７１０に沿って前方に平行移動する。クランプ部体７のガイド溝７１０は傾斜状であるため、前記開閉シャフト８０の移動によりクランプ部体７は枢軸７４を支点として倒伏状態となり、それにより、クランプ部体７の歯部７３が木枠下横材１０に食い込むので、木枠１が島側に自動的に固定される。これが図３（ｂ）の状態である。
【００４６】
下横材１０の固定を行なった後あるいはこれの固定と同時期に遠隔操作器２Ａ７のボタンを押して木枠固定の信号をコントローラ２に送れば、制御回路を介して上部ユニット５、５の第１アクチュエータ１５に正転駆動信号が送られて駆動される。このときには、第２アクチュエータ１８は停止状態に置かれ、スライド部体１２は後退限にある。
【００４７】
駆動ギヤ１４２を介して減速ギヤ１４３と雌ねじ１４４が回転するため、これに螺通している移動シャフト１４０が並進する。それにより、直交状にある開閉用シャフト１４０がスライド部体１２のガイド溝１２０１とクランプ部体１３のガイド溝１３１０に沿って前方に平行移動する。
クランプ部体１３のガイド溝１３１０は傾斜状であるため、前記開閉シャフト１４０の移動によりクランプ部体１３は枢軸１３４を支点として倒伏状態となり、それにより、クランプ部体１３の歯部１３３が木枠上横材１０´に食い込むので、木枠１が島側に自動的に固定される。これが図５（ｂ）の状態である。
以上で木枠１Ｂは全くねじ類の回動操作を要さず、自動的に島側の枠に強固に固定される。
【００４８】
ついで、パチンコ台１の傾斜を調整するには、傾斜計で測定しつつ遠隔操作器２Ａのボタンを押して木枠前移動または後移動の信号をコントローラ２に送るもので、前移動の場合には、制御回路を介して上部ユニット５、５の第２のアクチュエータ１８に正転信号が送られる。
【００４９】
これにより駆動ギヤ１７２を介して減速ギヤ１７３と雌ねじ１７４が回転するため、これに螺通している移動シャフト１７１が並進する。それにより、移動シャフトと直交している前後用シャフト１７０とこれと連結しているガイド軸１６５が前進を開始し、前後送り部体１６が枢軸１６３を支点として垂直に近づくように回動する。これにより、前後用シャフト１７０とつながっているスライド部体１２はクランプ部体１３を保持したままブラケット部体１１に対して前方に移動するので、図６（ａ）のように木枠上横財材１０‘が前方に押し出される。木枠の下方は下部ユニット４、４で固定されているため、パチンコ台１は前方に傾斜気味になる。
【００５０】
後方に倒れるように角度を調整するときには、後移動信号で第２のアクチュエータ１８が逆転駆動され、前述と逆の一連の動作が行なわれ、移動シャフト１７１が後退し、前後送り部体１６が枢軸１６３を支点として傾斜するように動き、スライド部体１２はブラケット部体１１に対して後方に移動し、図６（ｂ）のように木枠上横材１０‘が後方に引き込まれる。
【００５１】
したがって、遠隔操作器２Ａのボタンを操作するだけで、無段階にパチンコ台１の角度を自動調整することができる。このため、パチンコ台の台数が多くても、労力も技量も要さず、能率的に固定と角度調整を行なえる。そして、パチンコ台１を取り外すときには、遠隔操作器２Ａとコントローラ２で下部ユニット４、４と上部ユニット５，５のアクチュエータ９、１５を逆転駆動させれば、クランプ部体７が図３（ｂ）の状態から（ａ）に、クランプ部体１３が図５（ｂ）の状態から（ａ）に変化して固持を開放するので、簡単に島から取り外すことができる。また、パチンコ台の種類を問わないので汎用性も高いものとすることができる。
【符号の説明】
【００５２】
１・・・パチンコ台
１Ａ・・・本体１Ａ
１Ｂ・・・木枠１Ｂ
２・・・コントローラ
２Ａ・・・リモコン
３・・・島
４・・・下部ユニット
５・・・上部ユニット
６、１１・・・ブラケット部体
７、１３・・・クランプ部体
８、１４、１７・・・駆動機構
９、１５、１８・・・アクチュエータ
９Ａ、１５Ａ、１８Ａ・・・ケーシング
１０・・・木枠横部
１２・・・スライド部体
１６・・・前後送り部体
１９・・・ケーブル
２０・・・信号受信部
３０・・・下横材
３１・・・上横材
６０・・・座部
６１・・・側壁部
６２・・・天壁部
６３・・・ストッパー
７１、１３１・・・脚部
７２・・・天壁部
７３、１３３・・・歯部
７４、１３４、１６３・・・枢軸
８０、１４０・・・開閉用シャフト
８１、１４１、１７１・・・移動シャフト
８２、１４２・・・駆動ギヤ
８３、１４３、１７３・・・減速ギア
８４、１４４、１７４・・・雌ねじ
１１０・・・座部
１１１・・・囲壁部
１２０・・・可動フレーム側壁部
１３２・・・底壁部
１６０・・・レバー
１６１・・・連結部
１６５、１６６・・・ガイド軸
１７０・・・前後用シャフト
１７２・・・駆動ギヤ
６１０、７１０、１１２０、１１２１、１２０１、１２２１、１３１０、１６０１・・・ガイド溝
７１１、１３１１・・・支点用穴
【図１】
2011024604.tif 000003
【図２】
2011024604.tif 000004
【図３】
2011024604.tif 000005
【図４】
2011024604.tif 000006
【図５】
2011024604.tif 000007
【図６】
2011024604.tif 000008
【図７】
2011024604.tif 000009
【図８】
2011024604.tif 000010
【図９】
2011024604.tif 000011